(57)【要約】【課題】操作性に優れ、ユーザの意図に応じて冷気の流入を正確に調整することが出来る冷蔵庫を提供する。【解決手段】本発明の冷蔵庫１０は、冷蔵室１８に導入される冷気が通過する吹出口３４を適宜封鎖するシャッター部材３９を備えている。シャッター部材３９は、シャッター本体部４４と、シャッター本体部４４から前方に向かって突出する係止突起部４５と、を備えている。シャッター本体部４４が吹出口３４を塞ぐ際には、係止突起部４５は、側壁４３の係止受部４６に係合する。一方、ユーザがシャッター本体部４４を下方に移動させると、係止突起部４５と係止受部４６との係止が解除され、シャッター本体部４４は下方に移動し、シャッター本体部４４が吹出口３４を塞がない開状態となる。【選択図】図４
2017101873.tif 000002
【特許請求の範囲】
【請求項１】
貯蔵室と、
前記貯蔵室に供給される冷気を冷却する冷却器が配設される冷却室と、
前記貯蔵室と前記冷却室とをつなぎ、前記冷却器で冷却された前記冷気を流す供給風路と、
前記貯蔵室の側壁に形成され、前記供給風路を経由した前記冷気が前記貯蔵室に吹き出される吹出口と、
前記吹出口が閉状態の場合は前記吹出口を塞ぎ、前記吹出口が開状態の場合は前記吹出口を塞がないシャッター部材と、を具備し、
前記シャッター部材は、前記貯蔵室の側壁の外側に配置された板状のシャッター本体部と、前記シャッター本体部の前面から前方に向かって突出して前記貯蔵室に露出する操作突起部と、前記操作突起部とは異なる位置で、前記シャッター本体部の前面から前方に向かって突出する係止突起部と、を有し、
前記貯蔵室の前記側壁の外側面には、後方に向かって突出する係止受部が形成され、
前記吹出口が閉状態の場合は、前記係止受部が、前記シャッター部材の前記係止突起部を係止することで、前記シャッター本体部が前記吹出口を塞ぐことを特徴とする冷蔵庫。
【請求項２】
前記シャッター部材は、前記貯蔵室の前記側壁の後方に形成された収納部に収納され、前記収納部は、その前後方向に対する厚みが下方に向かって長くなる形状であることを特徴とする請求項１に記載の冷蔵庫。
【請求項３】
前記吹出口を前記閉状態から前記開状態にする際に於いて、前記シャッター部材の前記係止突起部と、前記側壁の前記係止受部との係止が解かれた後は、前記シャッター部材は、自重で降下することを特徴とする請求項１または請求項２に記載の冷蔵庫。
【請求項４】
前記吹出口から吹き出される前記冷気は、前記貯蔵室に収納された収納容器の内部を冷却することを特徴とする請求項１から請求項３の何れかに記載の冷蔵庫。
【発明の詳細な説明】
【技術分野】
【０００１】
本発明は、貯蔵室内に食品等を冷却保存する冷蔵庫に関し、特に、貯蔵室に供給される空気の流量を調整するための手動式のシャッター部材を有する冷蔵庫に関する。
【背景技術】
【０００２】
従来、この種の冷蔵庫として、特許文献１に記載された冷蔵庫１００のような構造が知られている。図７（Ａ）を参照して、冷蔵庫１００は、冷蔵室１０１および冷凍室１０２を備えており、冷蔵室１０１の前面開口は扉１０３で閉鎖され、冷凍室１０２の前面開口は扉１０４で閉鎖されている。また、冷凍室１０２の後方には冷却室１０５が形成され、各貯蔵室に供給される冷気を冷却する冷却器１０６が冷却室１０５に配置されている。また、冷却室１０５と冷凍室１０２との間には、シャッタ１０７が配設されており、冷却室１０５から冷凍室１０２に供給される冷気の量は、シャッタ１０７の開度を調整することで制御することが出来る。
【０００３】
図７（Ｂ）を参照して、上記したシャッタ１０７は、冷却室１０５の前面に形成された開口１０８を部分的にまたは全面的に塞いでいる。シャッタ１０７を左右方向に移動させ、開口１０８の開口面積を調整することで、冷凍室１０２に流入する冷気の量を調整し、冷凍室１０２の庫内温度を調整することが出来る。
【０００４】
特許文献２には、貯蔵庫に流入する冷気の量をシャッタで調整する他の従来技術が記載されている。図８（Ａ）を参照して、この冷蔵庫１１０では、冷気が通過する冷気ダクト１１１の途中部分にシャッタ１１２が介装されており、このシャッタ１１２の横方向への移動は移動用溝１１４で案内されている。
【０００５】
図８（Ｂ）を参照して、上記したシャッタ１１２は棒状部材１１３の端部に連続しており、棒状部材１１３の中央部付付近を突出させて、つまみ１１５が形成されている。上記した移動用溝１１４に沿って、シャッタ１１２を移動させる際には、つまみ１１５をユーザは左右方向に操作する。そのようにすると、シャッタ１１２も左右方向に移動し、冷気ダクト１１１の開度が調整され、冷気ダクト１１１を流通する冷気の量も所定量に調整される。
【先行技術文献】
【特許文献】
【０００６】
【特許文献１】特開２００９−８５５４５号公報
【特許文献２】特開２００７−２２５１９３号公報
【発明の概要】
【発明が解決しようとする課題】
【０００７】
しかしながら上記した各特許文献に記載された冷蔵庫では、シャッタを調整することで冷気の流入を操作することが簡単でない場合があった。
【０００８】
特許文献１では、図７（Ｂ）に示したように、横方向にシャッタ１０７を移動させることで、開口１０８の開口面積を無段階で調整している。従って、ユーザが開口１０８を完全に塞ぐべくシャッタ１０７を横方向に移動させても、シャッタ１０７が完全に閉状態であるかを確認することが難しいため、開口１０８が完全にシャッタ１０７で塞がれない場合があった。この場合、ユーザの意図に反して、冷気が冷凍室１０２に供給されてしまい、冷凍室１０２の庫内温度を良好に調節できない課題があった。
【０００９】
かかる課題は上記した特許文献２でも同様で有った。具体的には、図８（Ａ）および図８（Ｂ）を参照して、つまみ１１５を左右方向に移動して、冷気ダクト１１１を塞ごうとしても、つまみ１１５は無段階で移動可能であることから、シャッタ１１２で冷気ダクト１１１を好適に塞ぐことが簡単ではなかった。かかる場合は、ユーザの意図に反して、冷気ダクト１１１を冷気が通過してしまうことになる。
【００１０】
本発明は、上記の事情に鑑みてなされたものであり、その目的とするところは、操作性に優れ、ユーザの意図に応じて冷気の流入を正確に調整することが出来る冷蔵庫を提供することにある。
【課題を解決するための手段】
【００１１】
本発明の冷蔵庫は、貯蔵室と、前記貯蔵室に供給される冷気を冷却する冷却器が配設される冷却室と、前記貯蔵室と前記冷却室とをつなぎ、前記冷却器で冷却された前記冷気を流す供給風路と、前記貯蔵室の側壁に形成され、前記供給風路を経由した前記冷気が前記貯蔵室に吹き出される吹出口と、前記吹出口が閉状態の場合は前記吹出口を塞ぎ、前記吹出口が開状態の場合は前記吹出口を塞がないシャッター部材と、を具備し、前記シャッター部材は、前記貯蔵室の側壁の外側に配置された板状のシャッター本体部と、前記シャッター本体部の前面から前方に向かって突出して前記貯蔵室に露出する操作突起部と、前記操作突起部とは異なる位置で、前記シャッター本体部の前面から前方に向かって突出する係止突起部と、を有し、前記貯蔵室の前記側壁の外側面には、後方に向かって突出する係止受部が形成され、前記吹出口が閉状態の場合は、前記係止受部が、前記シャッター部材の前記係止突起部を係止することで、前記シャッター本体部が前記吹出口を塞ぐことを特徴とする。
【００１２】
更に本発明の冷蔵庫は、前記シャッター部材は、前記貯蔵室の前記側壁の後方に形成された収納部に収納され、前記収納部は、その前後方向に対する厚みが下方に向かって長くなる形状であることを特徴とする。
【００１３】
更に本発明の冷蔵庫は、前記吹出口を前記閉状態から前記開状態にする際に於いて、前記シャッター部材の前記係止突起部と、前記側壁の前記係止受部との係止が解かれた後は、前記シャッター部材は、自重で降下することを特徴とする。
【００１４】
更に本発明の冷蔵庫は、前記吹出口から吹き出される前記冷気は、前記貯蔵室に収納された収納容器の内部を冷却することを特徴とする。
【発明の効果】
【００１５】
本発明の冷蔵庫は、貯蔵室と、前記貯蔵室に供給される冷気を冷却する冷却器が配設される冷却室と、前記貯蔵室と前記冷却室とをつなぎ、前記冷却器で冷却された前記冷気を流す供給風路と、前記貯蔵室の側壁に形成され、前記供給風路を経由した前記冷気が前記貯蔵室に吹き出される吹出口と、前記吹出口が閉状態の場合は前記吹出口を塞ぎ、前記吹出口が開状態の場合は前記吹出口を塞がないシャッター部材と、を具備し、前記シャッター部材は、前記貯蔵室の側壁の外側に配置された板状のシャッター本体部と、前記シャッター本体部の前面から前方に向かって突出して前記貯蔵室に露出する操作突起部と、前記操作突起部とは異なる位置で、前記シャッター本体部の前面から前方に向かって突出する係止突起部と、を有し、前記貯蔵室の前記側壁の外側面には、後方に向かって突出する係止受部が形成され、前記吹出口が閉状態の場合は、前記係止受部が、前記シャッター部材の前記係止突起部を係止することで、前記シャッター本体部が前記吹出口を塞ぐことを特徴とする。従って、シャッター部材に係止突起部を形成し、貯蔵室側に係止受部を形成し、吹出口が閉状態の場合は両者を係合させることで、吹出口を閉状態とする際にはシャッター本体で吹出口を良好に塞ぐことが出来る。よって、吹出口が閉状態であるときに、吹出口を経由して冷気が貯蔵室に流れ込むことが抑止される。
【００１６】
更に本発明の冷蔵庫は、前記シャッター部材は、前記貯蔵室の前記側壁の後方に形成された収納部に収納され、前記収納部は、その前後方向に対する厚みが下方に向かって長くなる形状であることを特徴とする。従って、収納部は、その前後方向に対する厚みが下方に向かって長くなる形状であるので、吹出口を閉状態から開状態とする際に、下方に移動するシャッター部材が、収納部の側壁に接触することが抑止されている。よって、シャッター部材をスムーズに下方にスライドさせることが出来る。
【００１７】
更に本発明の冷蔵庫は、前記吹出口を前記閉状態から前記開状態にする際に於いて、前記シャッター部材の前記係止突起部と、前記側壁の前記係止受部との係止が解かれた後は、前記シャッター部材は、自重で降下することを特徴とする。従って、シャッター部材の自重を利用して吹出口を確実に開状態として、吹出口から所定量の冷気を冷蔵室に供給することが出来る。
【００１８】
更に本発明の冷蔵庫は、前記吹出口から吹き出される前記冷気は、前記貯蔵室に収納された収納容器の内部を冷却することを特徴とする。従って、収納容器の内部を、冷蔵室の他の箇所よりも低い温度帯とすることが出来る。
【図面の簡単な説明】
【００１９】
【図１】本発明の実施形態に係る冷蔵庫の概略構造を示す側面断面図である。
【図２】本発明の実施形態に係る冷蔵庫の冷蔵室の内部を示す正面図である。
【図３】本発明の実施形態に係る冷蔵庫を示す図であり、（Ａ）はシャッター部材が配置される部分を拡大して示す側面断面であり、（Ｂ）は当該部分を示す正面図である。
【図４】本発明の実施形態に係る冷蔵庫を示す図であり、（Ａ）はシャッター部材が配置される部分を更に拡大して示す側面断面図であり、（Ｂ）はシャッター部材を示す正面図であり、（Ｃ）はシャッター部材が配置される部分を上方から見た断面図である。
【図５】本発明の実施形態に係る冷蔵庫を示す図であり、（Ａ）から（Ｃ）は、シャッター部材を下方に降下させることで、吹出口を開口させる方法を逐次的に示す側面断面図である。
【図６】本発明の変形例に係る冷蔵庫を示す側面断面図である。
【図７】背景技術に係る冷蔵庫を示す図であり、（Ａ）は側面断面図であり、（Ｂ）はシャッタ機構を示す正面図である。
【図８】背景技術に係る冷蔵庫を示す図であり、（Ａ）はシャッタが形成される部分のダクトを示す斜視図であり、（Ｂ）はシャッタの構成を示す斜視図である。
【発明を実施するための形態】
【００２０】
以下、本発明の実施形態に係る冷蔵庫１０を図面に基づき詳細に説明する。以下の説明では、上下前後左右の各方向を適宜用いるが、左右とは冷蔵庫１０を前方から見た場合の左右を示す。
【００２１】
図１および図２を参照して、本発明の実施形態に係る冷蔵庫１０の概略的構成を説明する。図１は、冷蔵庫１０の側面断面図であり、図２は冷蔵庫１０の冷蔵室１８の正面図である。図１に示すように、冷蔵庫１０は、本体としての断熱箱体１１を備え、この断熱箱体１１の内部に食品等を貯蔵する貯蔵室が形成されている。この貯蔵室として、具体的には、上段から、冷凍室１７および冷蔵室１８が形成されている。この図では、冷気が送風される方向を矢印で示しており、かかる事項は他の図でも同様である。
【００２２】
断熱箱体１１の前面は開口しており、各貯蔵室に対応した前記開口には、各々断熱扉１５、１６が開閉自在に設けられている。断熱扉１５は、冷凍室１７の開口を前方から閉鎖し、例えば、右端の上下端部が回転自在に断熱箱体１１により支持されている。同様に、断熱扉１６は、冷蔵室１８の開口を前方から閉鎖し、例えば、右端の上下端部が回転自在に断熱箱体１１により支持されている。
【００２３】
冷蔵庫１０の本体である断熱箱体１１は、前面が開口する鋼板製の外箱１２と、この外箱１２内に間隙を持たせて配設され、前面が開口する合成樹脂製の内箱１３とから構成されている。外箱１２と内箱１３との間隙には、発泡ポリウレタン製の断熱材１４が充填発泡されている。尚、上記した各断熱扉１５、１６も、断熱箱体１１と同様の断熱構造を採用している。
【００２４】
冷凍室１７と、その下段に位置する冷蔵室１８との間は、断熱仕切壁３１によって仕切られている。断熱仕切壁３１も、上記した断熱箱体１１と同様に、断熱構造を有している。
【００２５】
冷凍室１７の後方には、合成樹脂製の仕切壁２１で区画され、冷凍室１７および冷蔵室１８に供給される冷気が一旦流入する送風室２９が形成されている。また、仕切壁２１の上部には、冷凍室１７に供給される冷気が通過する吹出口２５が形成されている。そして、仕切壁２１の下部には、冷凍室１７から冷却室２０に戻される冷気が通過する吸込口３３が形成されている。
【００２６】
送風室２９の後方には、冷却室２０が形成されており、送風室２９と冷却室２０とは、合成樹脂板からなる仕切壁２２で仕切られている。冷却室２０の内部には、庫内を循環する空気を冷却するための蒸発器である冷却器１９が配置されている。また、仕切壁２２の上部を部分的に開口して送風口３２が形成されており、送風口３２の後方近傍には、例えば軸流送風機である送風機２８が配置されている。冷却器１９が冷却した冷却室２０内の冷気を、送風機２８が送風することで、各供給風路を経由して冷凍室１７および冷蔵室１８に冷気が供給され、冷凍室１７および冷蔵室１８は所定の庫内温度に保たれる。
【００２７】
断熱仕切壁３１の後方部分には、上記した送風室２９を通過した冷気を、冷蔵室１８側に供給するための供給風路２３が形成されている。また、冷蔵室１８の奥側を、合成樹脂製の仕切材５０で仕切ることで、供給風路２４が形成されている。この仕切材５０を開口することで、冷気を冷蔵室１８に供給するための吹出口２６、３４が形成されている。
【００２８】
吹出口３４は、冷蔵室１８の上方部分に配置された収納容器３５の後方に形成されており、吹出口３４を経由して吹き出される冷気は、収納容器３５に供給される。このようにすることで、収納容器３５の内部の温度を、冷蔵室１８の他の部分よりも低くすること可能となり、肉などの食材を低い温度で貯蔵することが出来る。図２を参照して、他の吹出口２６は、収納容器３５よりも低い位置に形成されており、吹出口２６から下方に向かって吹き出された冷気がその後上昇することで、冷蔵室１８全開に冷気が供給される。冷蔵室１８を冷却した冷気は、図示しない帰還風路を経由して、図１に示す冷却室２０に帰還する。また、冷蔵室１８の下方部分には、野菜等を収納する収納容器３６が配置されている。
【００２９】
冷却器１９は、圧縮機２７、図示しない放熱器、図示しないキャピラリーチューブである膨張弁に、冷媒配管を介して接続されており、蒸気圧縮式の冷凍サイクル回路を構成するものである。
【００３０】
また、冷蔵庫１０は、図示しない制御装置を備えており、この制御装置は、センサ類からの入力値を基に所定の演算処理を実行し、圧縮機２７、送風機２８等の各構成機器を制御する。
【００３１】
図３を参照して、次に、上記した吹出口３４に備えられるシャッター部材３９に関して説明する。図３（Ａ）は、シャッター部材３９が配設される部分を示す側面断面図であり、図３（Ｂ）はシャッターが配設される部分を示す正面図である。
【００３２】
図３（Ａ）を参照して、上記したように、冷却室２０で冷却された冷気は、冷却室２０の前方に配置された送風室２９および供給風路２３を経由して、冷蔵室１８の後方に形成された供給風路２４に流入する。
【００３３】
供給風路２４は上下方向に沿って配設されており、その途中から前方に向かって供給風路３７が分岐している。供給風路３７の前端に吹出口３４が形成されている。吹出口３４は、収納容器３５の側壁上端部よりも上方に配置されている。これにより、吹出口３４から吹き出される冷気を、収納容器３５の内部に送り込むことが出来る。
【００３４】
供給風路３８は、上記した吹出口３４の下方で、供給風路２４から前方に向かって枝分かれしており、供給風路３８の前端に吹出口２６が形成されている。
【００３５】
本形態では、ユーザの操作に応じて吹出口３４を塞ぐシャッター部材３９を、側壁４３の後面側に配置している。側壁４３は冷蔵室１８の内面を構成している。図３（Ｂ）では、シャッター部材３９で、吹出口３４を塞いだ状態を示している。シャッター部材３９は、正面から見てアルファベットのＴ字形状を呈しており、幅広に形成されるその上端部分が吹出口３４を塞いでいる。また、冷蔵室１８の側壁４３を縦方向に細長に開口することで、ガイド溝４０が形成されている。そして、シャッター部材３９の操作突起部４１は、ガイド溝４０から前方に向かって突出している。これにより、ユーザは、冷蔵室１８の内部から操作突起部４１を摘まみ、シャッター部材３９を上下方向に移動させることが出来る。また、図３（Ａ）を参照して、シャッター部材３９の操作突起部４１は、収納容器３５の後方且つ下方に配置されているので、ユーザは容易に操作突起部４１を操作することが出来る。
【００３６】
詳細は後述するが、シャッター部材３９は次のように動作する。ユーザが操作突起部４１を下方に移動させると、シャッター部材３９全体が下方に移動し、シャッター部材３９が吹出口３４を閉鎖しないようになる。このようになると、冷気は、吹出口３４を経由して収納容器３５に供給され、収納容器３５の内部の温度が、冷蔵室１８の他の部分よりも低温とされる。一方、ユーザが操作突起部４１を上方に移動させると、シャッター部材３９全体が上方に移動し、シャッター部材３９が吹出口３４を閉鎖する。このようになると、冷気は収納容器３５に供給されず、上記のように冷気が供給される場合と比較して、収納容器３５の温度は高温となる。よって、ユーザは、収納容器３５に収納する食材の種類に応じて、操作突起部４１を上下方向に操作することで、収納容器３５の内部温度を調整することが出来る。
【００３７】
図４を参照して、シャッター部材３９の構成を詳述する。図４（Ａ）はシャッター部材３９が配置される部分を示す側面断面図であり、図４（Ｂ）はシャッター部材３９を示す正面図であり、図４（Ｃ）はシャッター部材３９が支持される構造を示す断面図である。
【００３８】
図４（Ａ）を参照して、吹出口３４付近に於いては、側壁４３とその後方の断熱材４２との間に収納部４７が形成されている。換言すると、収納部４７は、側壁４３と断熱材４２との間に形成された間隙であり、吹出口３４の上方および下方に形成されている。ここでは、シャッター部材３９が吹出口３４を閉鎖することで閉状態とされている状況を示している。
【００３９】
収納部４７の前後方向の厚みは、下方に向かって徐々に長くなっている。従って、収納部４７の下端部に於ける厚みＬ２は、収納部の上端部に於ける厚みＬ１よりも、長くされている。また、収納部４７の前面である側壁４３は略垂直面であり、収納部４７の後面は下方部分が後方に向かって傾斜する傾斜面である。
【００４０】
シャッター部材３９の前面には、前方に向かって突出する係止突起部４５が形成されている。係止突起部４５は、吹出口３４を塞ぐためにシャッター部材３９が上昇された際に、側壁４３の内壁から突出する係止受部４６に係合する部位である。係止突起部４５の正面視での形状は、図４（Ｂ）に示すように矩形形状とされている。
【００４１】
操作突起部４１は、上記した係止突起部４５よりも下方で、シャッター部材３９の前面を部分的に前方に向かって突起させて形成され、図３（Ｂ）に示したように、冷蔵室１８の内部に露出する。操作突起部４１は、ユーザがその指で保持することが出来る大きさとされている。操作突起部４１の正面視での形状は、図４（Ｂ）に示すように矩形形状とされている。
【００４２】
図４（Ｂ）に示すように、シャッター部材３９のシャッター本体部４４は、上記したようにＴ字形状を呈している。シャッター部材３９の上端部分は、幅広に形成され、吹出口３４を全面的に塞ぐために、吹出口３４よりも若干大きいサイズとされている。
【００４３】
図４（Ｃ）を参照して、シャッター部材３９は、側壁４３の後面に形成された保持部４８で保持されている。保持部４８は、シャッター部材３９の両方に形成され、その先端部は対向するように鍵状に形成されている。このような形状の保持部４８で、シャッター部材３９を保持することで、シャッター部材３９の後方への移動が規制される。よって、収納部４７内部に於いて、シャッター部材３９の上下方向への移動を許容しつつ、シャッター部材３９が過度にがたつくことを抑止することが出来る。
【００４４】
図５を参照して、上記したシャッター部材３９の動作を説明する。図５（Ａ）、図５（Ｂ）および図５（Ｃ）は、吹出口３４を閉状態から開状態にするまでの状況を逐次的に示す断面図である。
【００４５】
図５（Ａ）を参照して、シャッター部材３９で吹出口３４を閉鎖している場合は、収納部４７の内部に於いてシャッター部材３９が上方に配置され、シャッター部材３９の上端部分が吹出口３４を完全に覆っている。換言すると、シャッター部材３９の上端部は、吹出口３４の上端部よりも、上方に配置されている。従って、吹出口３４はシャッター部材３９でほぼ隙間無く閉鎖され、吹出口３４から冷蔵室１８側に冷気が漏れることが抑止されている。
【００４６】
また、この状態では、シャッター部材３９の係止突起部４５の下端部分が、側壁４３の係止受部４６の上端に係合している。従って、ユーザが操作突起部４１を操作しない限り、シャッター部材３９が下方に移動して吹出口３４が開状態になることは無い。このことから、ユーザの意図に反して、図１に示す収納容器３５に冷気が供給され、その内部が過度に冷却されることは無い。
【００４７】
図５（Ｂ）を参照して、ユーザが、上記した収納容器３５の内部温度を下げるために、シャッター部材３９の操作突起部４１を下方に押し下げると、シャッター部材３９の係止突起部４５と、側壁４３の係止受部４６との係止が解かれる。そのようになると、ユーザが操作突起部４１をそれ以上押し下げなくとも、シャッター部材３９は、その自重で下方に落下するようになる。上記したように、収納部４７の前後方向に対する厚みは、下方に向かって徐々に長くなっている。従って、シャッター部材３９の自重落下が、収納部４７の内壁で阻害されることは無い。
【００４８】
図５（Ｃ）に示すように、シャッター部材３９が、その自重で収納部４７の下端付近まで落下すると、シャッター部材３９の上端は、吹出口３４の下端よりも下方に配置される。従って、吹出口３４はシャッター部材３９で覆われない開状態になり、吹出口３４を冷気が通過するようになる。このようになると、図３（Ａ）に示すように、吹出口３４を経由して収納容器３５に冷気が供給され、収納容器３５の内部は冷蔵室１８の他の領域よりも低温となるように冷却される。
【００４９】
上記のように、本形態の冷蔵庫１０では、シャッター部材３９の操作突起部４１を上下方向に移動させる簡易な操作によって、吹出口３４の開閉状態を、全開状態または全閉状態とすることが出来る。従って、背景技術のような無段階にシャッタを調整する構造と比較すると、冷気の漏れが抑止されているので、収納容器３５の内部温度を容易に調整することが出来る。また、シャッター部材３９は上下後方に移動するため、自重によりシャッター部材３９を移動させることが出来るので、図５（Ｃ）に示すように吹出口３４を容易に全開状態とすることが出来る。
【００５０】
ここで、吹出口３４を閉状態から開状態にするためには、上記と逆の動作が行われる。具体的には、先ず、図５（Ｃ）を参照して、シャッター部材３９の操作突起部４１を、ユーザがその指で上方に移動させる。そのようにすると、図５（Ｂ）に示すように、シャッター部材３９が上方に移動し、シャッター部材３９の係止突起部４５も、側壁４３の係止受部４６の後方を通過して上方に移動する。その後、ユーザが、シャッター部材３９を更に上昇させると、シャッター部材３９の係止突起部４５は、側壁４３の係止受部４６に上方から係合する。これにより、シャッター部材３９の上下後方の位置が規定される。この状態で、吹出口３４は、シャッター部材３９で覆われて全閉状態となる。
【００５１】
図６を参照して、上記したシャッター部材３９の他の形態を説明する。ここでは、シャッター部材３９の上端付近を後方に曲折させることで曲折部４９を形成している。この曲折部４９を形成することで、吹出口３４を開状態とした際に、収納部４７の後方上端部が、シャッター部材３９の曲折部４９で塞がれる。従って、この開口状態で、収納部４７に冷気が流れ込むことが抑止されている。
【００５２】
本発明は、上記実施形態に限定されるものではなく、その他、本発明の要旨を逸脱しない範囲で、種々の変更実施が可能である。
【符号の説明】
【００５３】
１０   冷蔵庫
１１   断熱箱体
１２   外箱
１３   内箱
１４   断熱材
１５   断熱扉
１６   断熱扉
１７   冷凍室
１８   冷蔵室
１９   冷却器
２０   冷却室
２１   仕切壁
２２   仕切壁
２３   供給風路
２４   供給風路
２５   吹出口
２６   吹出口
２７   圧縮機
２８   送風機
２９   送風室
３１   断熱仕切壁
３２   送風口
３３   吸込口
３４   吹出口
３５   収納容器
３６   収納容器
３７   供給風路
３８   供給風路
３９   シャッター部材
４０   ガイド溝
４１   操作突起部
４２   断熱材
４３   側壁
４４   シャッター本体部
４５   係止突起部
４６   係止受部
４７   収納部
４８   保持部
４９   曲折部
５０   仕切材
１００ 冷蔵庫
１０１ 冷蔵室
１０２ 冷凍室
１０３ 扉
１０４ 扉
１０５ 冷却室
１０６ 冷却器
１０７ シャッタ
１０８ 開口
１１０ 冷蔵庫
１１１ 冷気ダクト
１１２ シャッタ
１１３ 棒状部材
１１４ 移動用溝
１１５ つまみ
【図１】
2017101873.tif 000003
【図２】
2017101873.tif 000004
【図３】
2017101873.tif 000005
【図４】
2017101873.tif 000006
【図５】
2017101873.tif 000007
【図６】
2017101873.tif 000008
【図７】
2017101873.tif 000009
【図８】
2017101873.tif 000010